(57)【特許請求の範囲】
【請求項１】
複数の遊技機が配設された遊技島内に配設されるとともに、それぞれの遊技機から排出されたメダルを洗浄するためのメダル洗浄装置において、
洗浄液を収容させる収容タンクと、
洗浄すべきメダルを載置可能な洗浄部位と、
前記収容タンクから洗浄部位まで延設され、当該収容タンク内の洗浄液を洗浄部位まで流通させ得る可撓性チューブと、
該可撓性チューブの基端部に接続され、前記収容タンクの洗浄液内に沈めておくことにより、当該洗浄液を汲み上げ可能とされたポンプと、
該可撓性チューブの先端部に取り付けられ、当該可撓性チューブを流通した洗浄液を前記洗浄部位に対して散布可能な散布手段と、
所定寸法の径を有した線状部材から成り、前記可撓性チューブ内の流通路を確保しつつ当該可撓性チューブ内の一端から他端まで長手方向に亘って延設され、且つ、その一端及び他端が螺旋状に形成されて成り、当該一端が前記ポンプとの接続部に固定されるとともに、他端が前記散布手段との接続部に固定される閉塞防止手段と、
を備えたことを特徴とするメダル洗浄装置。
【請求項２】
前記洗浄部位には、メダルを払拭しつつ搬送させる洗浄用払拭布が配設されるとともに、前記可撓性チューブは、前記収容タンクから当該洗浄用払拭布まで延設され、当該収容タンク内の洗浄液を当該洗浄用払拭布まで流通させ、前記散布手段にて洗浄液を前記洗浄用払拭布上に散布して含浸させ得るよう構成されたことを特徴とする請求項１記載のメダル洗浄装置。
【発明の詳細な説明】
【技術分野】
【０００１】
本発明は、複数の遊技機が配設された遊技島内に配設されるとともに、それぞれの遊技機から排出されたメダルを洗浄するためのメダル洗浄装置に関するものである。
【背景技術】
【０００２】
スロットマシンなどの複数の遊技機が配設された遊技島内には、通常、各遊技機にメダルを供給するための補給路と、各遊技機から排出されたメダルを回収する回収路と、回収路で回収されたメダルを洗浄するメダル洗浄装置と、メダル洗浄装置で洗浄されたメダルを補給路に供給するメダル供給手段とを有している。従来のメダル洗浄装置は、一般的に、洗浄液を収容させる収容タンクと、洗浄部位に配設されてメダルを払拭しつつ搬送させる払拭布と、収容タンクから払拭布まで延設され、当該収容タンク内の洗浄液を払拭布まで流通させ得る可撓性チューブと、可撓性チューブの先端部に取り付けられ、当該可撓性チューブを流通した洗浄液を払拭布上に散布して含有させ得る散布手段とを具備していた。特に、収容タンクからメダルの洗浄部位まで延設され、収容タンク内の洗浄液を流通させ得る可撓性チューブとして、特許文献１にて開示されたものが挙げられる。
【先行技術文献】
【特許文献】
【０００３】
【特許文献１】特開２００１−１７０４１５号公報
【発明の概要】
【発明が解決しようとする課題】
【０００４】
しかしながら、上記従来のメダル洗浄装置においては、可撓性チューブを収容タンク内から洗浄部位まで取り回して用いる必要があったため、当該可撓性チューブが折れ曲がって一部が閉塞してしまう虞があった。特に、遊技島内におけるメダル洗浄装置が設置されるスペースは極めて限られているため、可撓性チューブの取り回しが困難であることから、当該可撓性チューブが折れ曲がりによって閉塞し、洗浄液の流通を妨げてしまう可能性が高くなっていた。
【０００５】
本発明は、このような事情に鑑みてなされたもので、可撓性チューブが折れ曲がっても内部の流通路が閉塞してしまうのを回避することができ、洗浄液を良好に流通させることができるメダル洗浄装置を提供することにある。
【課題を解決するための手段】
【０００６】
請求項１記載の発明は、複数の遊技機が配設された遊技島内に配設されるとともに、それぞれの遊技機から排出されたメダルを洗浄するためのメダル洗浄装置において、洗浄液を収容させる収容タンクと、洗浄すべきメダルを載置可能な洗浄部位と、前記収容タンクから洗浄部位まで延設され、当該収容タンク内の洗浄液を洗浄部位まで流通させ得る可撓性チューブと、該可撓性チューブの基端部に接続され、前記収容タンクの洗浄液内に沈めておくことにより、当該洗浄液を汲み上げ可能とされたポンプと、該可撓性チューブの先端部に取り付けられ、当該可撓性チューブを流通した洗浄液を前記洗浄部位に対して散布可能な散布手段と、所定寸法の径を有した線状部材から成り、前記可撓性チューブ内の流通路を確保しつつ当該可撓性チューブ内の一端から他端まで長手方向に亘って延設され、且つ、その一端及び他端が螺旋状に形成されて成り、当該一端が前記ポンプとの接続部に固定されるとともに、他端が前記散布手段との接続部に固定される閉塞防止手段とを備えたことを特徴とする。
【０００７】
請求項２記載の発明は、請求項１記載のメダル洗浄装置において、前記洗浄部位には、メダルを払拭しつつ搬送させる洗浄用払拭布が配設されるとともに、前記可撓性チューブは、前記収容タンクから当該洗浄用払拭布まで延設され、当該収容タンク内の洗浄液を当該洗浄用払拭布まで流通させ、前記散布手段にて洗浄液を前記洗浄用払拭布上に散布して含浸させ得るよう構成されたことを特徴とする。
【発明の効果】
【０００９】
請求項１、２の発明によれば、所定寸法の径を有した線状部材から成り、当該可撓性チューブ内の一端から他端まで長手方向に亘って延設された閉塞防止手段を備えたので、可撓性チューブが折れ曲がっても内部の流通路が閉塞してしまうのを回避することができ、洗浄液を良好に流通させることができる。
【００１０】
さらに、閉塞防止手段は、その一端及び他端が螺旋状に形成されて成るので、バネ性を持たせて可撓性チューブ内に良好に保持させることができるとともに、通常の使用時において、当該閉塞防止手段の一端及び他端が洗浄液の流通を妨げてしまうのを抑制することができる。
【図面の簡単な説明】
【００１１】
【図１】本発明の実施形態に係るメダル洗浄装置が適用される遊技島を示す外観斜視図
【図２】同遊技島を示す外観正面図
【図３】同遊技島の内部構成を示す正面模式図
【図４】同遊技島内に設置されたメダル洗浄装置を示す模式図
【図５】同メダル洗浄装置を示す断面模式図
【図６】同メダル洗浄装置における閉塞防止手段を示す模式図
【図７】同メダル洗浄装置における閉塞防止手段を可撓性チューブ内に配設した状態を示す断面模式図
【図８】同メダル洗浄装置における閉塞防止手段を可撓性チューブ内に配設した状態であって可撓性チューブが折れ曲がった状態を示す断面模式図
【発明を実施するための形態】
【００１２】
以下、本発明の実施形態について図面を参照しながら具体的に説明する。
本実施形態に係るメダル洗浄装置は、スロットマシンなどの遊技機を複数具備した遊技島内に配設され、それぞれの遊技機から排出されるメダルを洗浄するためのものであり、当該遊技島内には、図１〜３に示すように、メダル補給装置４と、補給路６と、回収路７と、メダル洗浄装置８と、揚送コンベア９とを主に有して構成されている。
【００１３】
本実施形態に適用される遊技島１は、スロットマシンから成る遊技機２ａ〜２ｅが複数並設して成るもので、その一端側には遊技者等がメダルを投入してその枚数を計数し得るメダル計測装置５が配設されるとともに、他端側には回収したメダルを揚送するための揚送コンベア９が配設されたメダル補給装置４が配設されている。尚、遊技島１の背面側にも、遊技機が複数並設されており、遊技店内には同様の遊技島１が複数配設されている。
【００１４】
この遊技島１は、その内部（上部）において各遊技機２ａ〜２ｅに亘って延設された補給路６を具備している。かかる補給路６は、例えばベルトコンベア等から成り、遊技島１の内部空間の上部に延設されて成るものである。更に、補給路６から各遊技機２ａ〜２ｅに対して補給口１１ａ〜１１ｅが延設されており、遊技媒体としてのメダルが補給され得るよう構成されている。また、各遊技機２ａ〜２ｅには、遊技者にメダルを貸すためのメダル貸し装置３ａ〜３ｅが並設されており、これらメダル貸し装置３ａ〜３ｅに対し供給口１２ａ〜１２ｅを介してメダルが供給され得るよう構成されている。
【００１５】
また更に、各遊技機２ａ〜２ｅから下方（回収路７側）に向かって排出口１０ａ〜１０ｅが延設されている。これら排出口１０ａ〜１０ｅは、各遊技機２ａ〜２ｅからのメダル（遊技機２ａ〜２ｅに投入されたメダル等）を回収路７に排出させるためのもので、図３に示すように、駆動プーリＰ１及び従動プーリＰ２に亘って懸架された搬送ベルトを有して構成されている。
【００１６】
なお、回収路７の一端側は、メダル計数装置５近傍まで延設されており、当該メダル計数装置５に投入されたメダルが排出口５ａを介して排出され、当該回収路７にて搬送され得るよう構成されている。一方、回収路７の他端側は、遊技島１の端部に配設されたメダル補給装置４内に至るよう構成されており、当該他端側まで搬送されてそこから排出されたメダルが排出口１３を介してメダル洗浄装置８に至るとともに、当該メダル洗浄装置８にて洗浄されたメダルは、揚送コンベア９の下端に配設されたメダル受け部９ｂに至るよう構成されている。
【００１７】
揚送コンベア９は、メダル補給装置４内にて上下に延設された搬送装置（リフタ）から成り、メダル受け部９ｂで受けたメダルを上部まで上昇させて排出口９ａから排出させるためのものであり、排出口９ａから排出されたメダルが再び補給路６にて各遊技機２ａ〜２ｅまで搬送されて補給されるよう構成されている。このようにして、遊技島１内のメダルは、メダル洗浄装置８にて洗浄されつつ循環し得るようになっている。
【００１８】
ここで、本実施形態に係るメダル洗浄装置８は、メダル補給装置４内における下部に設置されたもので、図４〜６に示すように、搬送コンベア１４と、収容タンク１５と、洗浄用払拭布１６、１７と、乾拭用払拭布１８、１９と、可撓性チューブ２０と、ポンプ２１と、散布手段２２と、閉塞防止手段２３とから主に構成されている。搬送コンベア１４は、所定角度傾斜して配設され、排出口１３から排出されたメダルを一端（図４中左端）で受け、他端（図４中右端）まで搬送し得るものである。洗浄用払拭布１６、１７は、本発明の「洗浄すべきメダルを載置可能な洗浄部位」に配設されたものである。
【００１９】
収容タンク１５は、所定容量の洗浄液（例えば洗剤を水で溶解させたもの等）を収容可能な容器から成り、本実施形態においては、洗浄用払拭布１６、１７の下方に設置されている。洗浄用払拭布１６、１７は、洗浄すべきメダルを載置可能な洗浄部位に配設されるとともに、メダルを払拭しつつ搬送させるための布状部材から成り、所定間隔離間した一対のプーリａ１、ａ２、及びプーリｂ１、ｂ２の間で懸架された無端状に成形されたものから成る。
【００２０】
すなわち、洗浄用払拭布１６は、プーリａ１、ａ２の回転により長手方向に連続的に回動するベルトコンベアの如き動作が可能とされるとともに、洗浄用払拭布１７は、プーリｂ１、ｂ２の回転により長手方向に連続的に回動するベルトコンベアの如き動作が可能とされており、これら洗浄用払拭布１６の下面と洗浄用払拭布１７の上面とを対向させて組み付けることにより、当該下面と上面との間をメダルが搬送されて通過する過程で当該メダルの表裏面を同時に払拭し得るよう構成されているのである。
【００２１】
可撓性チューブ２０は、収容タンク１５から洗浄用払拭布１６（洗浄部位）まで延設され、当該収容タンク１５内の洗浄液を洗浄用払拭布１６（洗浄部位）まで流通させ得るものであり、塩化ビニル等の樹脂やゴム材等をチューブ状に成形したものから成る。かかる可撓性チューブ２０の基端部には、ポンプ２１が接続されており、かかるポンプ２１を収容タンク１５の洗浄液内に沈めておくことにより、当該洗浄液を汲み上げ可能とされている。
【００２２】
散布手段２２は、可撓性チューブ２０の先端部に取り付けられ、当該可撓性チューブ２０を流通した洗浄液を洗浄用払拭布１６上に散布して含浸させ得るものである。具体的には、散布手段２２は、可撓性チューブ２０の先端部に接続されて、当該可撓性チューブ２０を流通した洗浄液を受け得る管状部材から成り、所定部位に噴出口が形成され、当該噴出口から洗浄液を噴出させることにより、洗浄用払拭布１６上に（洗浄部位に対して）散布可能とされている。
【００２３】
一方、乾拭用払拭布１８、１９は、洗浄用払拭布１６、１７と同様、メダルを払拭しつつ搬送させるための布状部材から成り、所定間隔離間した一対のプーリｃ１、ｃ２、及びプーリｄ１、ｄ２の間で懸架された無端状に成形されたものから成る。すなわち、乾拭用払拭布１８は、プーリｃ１、ｃ２の回転により長手方向に連続的に回動するベルトコンベアの如き動作が可能とされるとともに、乾拭用払拭布１９は、プーリｄ１、ｄ２の回転により長手方向に連続的に回動するベルトコンベアの如き動作が可能とされており、これら乾拭用払拭布１８の下面と乾拭用払拭布１９の上面とを対向させて組み付けることにより、当該下面と上面との間をメダルが搬送されて通過する過程で当該メダルの表裏面を同時に払拭し得るよう構成されているのである。
【００２４】
しかるに、乾拭用払拭布１８、１９は、洗浄用払拭布１６、１７の終端側に配設されているとともに、洗浄液が含浸されておらず、洗浄用払拭布１６、１７にて付着した洗浄液を拭い取りつつ搬送し得るよう構成されている。また、乾拭用払拭布１８、１９の終端側には、メダル受け部９ｂが配設されており、洗浄用払拭布１６、１７による洗浄及び乾拭用払拭布１８、１９による乾拭きが施されたメダルは、メダル受け部９ｂに至り、そこから揚送コンベア９にて揚送される。
【００２５】
ここで、本実施形態においては、閉塞防止手段２３が配設されている。この閉塞防止手段２３は、所定寸法の径を有した線状部材（例えば径の比較的大きな針金等の可撓性材料が好ましい）から成り、図５に示すように、当該可撓性チューブ２０内の一端から他端まで長手方向に亘って延設されたものである。かかる閉塞防止手段２３は、図６に示すように、その一端２３ａ及び他端２３ｂが螺旋状に形成されて成り、当該一端２３ａがポンプ２１との接続部に固定するとともに、他端２３ｂが散布手段２２との接続部に固定するよう組み付けられている。
【００２６】
このように、可撓性チューブ２０内に閉塞防止手段２３を挿通させて組み付けることにより、図７に示すように、可撓性チューブ２０内の流通路を確保することができるとともに、当該可撓性チューブ２０が折れ曲がったり或いは外部から負荷がかかったりした場合であっても、図８に示すように、閉塞防止手段２３により内部の流通路は完全に閉塞することがなく、ある程度の流通路が確保されることとなる。
【００２７】
なお、閉塞防止手段２３として可撓性材料を用いれば、可撓性チューブ２０の取り回し時に撓り等が生じても、それに十分追従させることができ、取り回し作業が困難になってしまうのを防止することができる。
【００２８】
上記実施形態によれば、所定寸法の径を有した線状部材から成り、当該可撓性チューブ２０内の一端から他端まで長手方向に亘って延設された閉塞防止手段２３を備えたので、可撓性チューブ２０が折れ曲がっても内部の流通路が閉塞してしまうのを回避することができ、洗浄液を良好に流通させることができる。また、閉塞防止手段２３は、その一端２３ａ及び他端２３ｂが螺旋状に形成されて成るので、バネ性を持たせて可撓性チューブ２０内に良好に保持させることができるとともに、通常の使用時において、当該閉塞防止手段２３の一端２３ａ及び他端２３ｂが洗浄液の流通を妨げてしまうのを抑制することができる。
【００２９】
以上、本実施形態について説明したが、本発明はこれに限定されるものではない。
【００３０】
また、本実施形態においては、散布手段２２にて洗浄用払拭布１６に洗浄液を散布しているが、洗浄用払拭布１７側に洗浄液を散布するようにしてもよい。なお、本実施形態に係るメダル洗浄装置８には、乾拭用払拭布１８、１９が配設されているが、当該乾拭用払拭布１８、１９を具備せず、専ら洗浄用払拭布１６、１７による払拭のみ行わせるものとしてもよい。さらに、洗浄部位に洗浄用払拭布等を配設せず、洗浄すべきメダルを載置した洗浄部位に対して直接洗浄液を散布させ、洗浄するものとしてもよい。
【産業上の利用可能性】
【００３１】
洗浄液を収容させる収容タンクと、洗浄すべきメダルを載置可能な洗浄部位と、収容タンクから洗浄部位まで延設され、当該収容タンク内の洗浄液を洗浄部位まで流通させ得る可撓性チューブと、該可撓性チューブの基端部に接続され、収容タンクの洗浄液内に沈めておくことにより、当該洗浄液を汲み上げ可能とされたポンプと、可撓性チューブの先端部に取り付けられ、当該可撓性チューブを流通した洗浄液を洗浄部位に対して散布可能な散布手段と、所定寸法の径を有した線状部材から成り、可撓性チューブ内の流通路を確保しつつ当該可撓性チューブ内の一端から他端まで長手方向に亘って延設され、且つ、その一端及び他端が螺旋状に形成されて成り、当該一端がポンプとの接続部に固定されるとともに、他端が散布手段との接続部に固定される閉塞防止手段とを備えたメダル洗浄装置であれば、外観形状が異なるもの他の機能が付加されたもの等であってもよい。
【符号の説明】
【００３２】
１    遊技島
２ａ〜２ｅ  遊技機
３ａ〜３ｅ  メダル貸し装置
４    メダル補給装置
５    メダル計数装置
６    補給路
７    回収路
８    メダル洗浄装置
９    揚送コンベア
１０ａ〜１０ｅ  排出口
１１ａ〜１１ｅ  補給口
１２ａ〜１２ｅ  供給口
１３  排出口
１４  搬送コンベア
１５  収容タンク
１６、１７  洗浄用払拭布
１８、１９  乾拭用払拭布
２０  可撓性チューブ
２１  ポンプ
２２  散布手段
２３  閉塞防止手段
【図１】
0005685435.tif 000002
【図２】
0005685435.tif 000003
【図３】
0005685435.tif 000004
【図４】
0005685435.tif 000005
【図５】
0005685435.tif 000006
【図６】
0005685435.tif 000007
【図７】
0005685435.tif 000008
【図８】
0005685435.tif 000009